(57)【特許請求の範囲】
【請求項１】
外壁に穿設された通気孔に挿入される通気孔挿入胴体と、この通気孔挿入胴体の端部に設けられ外壁から突出するフードと、このフードの正面部に形成されると共に室内側から流れてきた空気を室外に排出する第１開口部と、前記フードの底面に形成された第２開口部と、この第２開口部に設けられ室内側から流れてきた空気を外壁から離間するように排気させる排気手段と、を有してなることを特徴とする換気用屋外フード。
【請求項２】
外壁に穿設された通気孔に挿入される通気孔挿入胴体と、この通気孔挿入胴体の端部に設けられ外壁から突出するフードと、このフードの正面部に形成されると共に室内側から流れてきた空気を室外に排出する第１開口部と、前記フードの内部に設けられて室内側からの空気を前記第１開口部に案内する整流板と、前記フードの底面に形成された第２開口部と、この第２開口部に設けられ室内側から流れてきた空気を前記外壁と反対方向に導くガイド板を設けたガラリと、を有してなることを特徴とする換気用屋外フード。
【発明の詳細な説明】
【０００１】
【産業上の利用分野】
本考案は、主にビルや家屋の外壁に設けられた換気孔に取り付けられる換気用屋外フードに関する。
【０００２】
【従来の技術】
図４に示すようにビルや家屋の外壁１には外壁１に形成された通気孔としての通気パイプ２から雨等が入り込むのを防ぐために屋外フード３が取り付けられている。
この屋外フード３は胴部４を前記通気パイプ２に挿入して室内から流れてきた空気Ａをフード部５で強制的に下方に向かわせて屋外に排出している。しかし、このタイプの屋外フード３はフード部５の下面にのみ開口部５Ａが形成されているため静圧損失値が高くなるという不具合がある。また、このタイプの屋外フード３は汚れた雨水が外壁１を伝わってフード部５の上面に流れるとフード部５の外側を伝わって下方に落下するのでフード部５の外側が汚れて見栄えが悪くなるという不具合がある。
そこで、図５に示すような屋外フード６が提案されている。このタイプの屋外フード６はフード部７の下面及び上面にそれぞれ開口部７Ａ，７Ｂを設け、胴部８から流れてきた空気Ａを開口部７Ａと開口部７Ｂの両方から排出させることにより静圧損失値を低くすると共に外壁１を伝わって流れてきた汚れた雨水をフード部７の内部に入れてフード部７の外側が汚れるのを防いでいる。
しかし、このタイプの屋外フード６はフード部７の開口部７Ａ，７Ｂから排出される汚れた空気Ａが外壁１の壁面に沿って流れやすくなるためフード部７近傍の外壁１や図示しない庇等が汚れるという不具合がある。
また、このタイプの屋外フード６を寒冷地で長期間使用した場合、冬季においては室内から流れてきた湿った空気Ａが急速に冷却されるため水分が凍結し外壁１の外部凍害として表面から破損してくるという不具合がある。
【０００３】
【発明が解決しようとする課題】
本発明は、上記不具合を解消すべく発明されたものであり、室内側から流れてきた空気を外壁から離間した状態で室外に排気させる換気用屋外フードを提供するものである。
【０００４】
【課題を解決するための手段】
請求項１記載の発明は、外壁に穿設された通気孔に挿入される通気孔挿入胴体と、この通気孔挿入胴体の端部に設けられ外壁から突出するフードと、このフードの正面部に形成されると共に室内側から流れてきた空気を室外に排出する第１開口部と、前記フードの底面に形成された第２開口部と、この第２開口部に設けられ室内側から流れてきた空気を外壁から離間するように排気させる排気手段と、を有してなることを特徴としている。
請求項２記載の発明は、外壁に穿設された通気孔に挿入される通気孔挿入胴体と、この通気孔挿入胴体の端部に設けられ外壁から突出するフードと、このフードの正面部に形成されると共に室内側から流れてきた空気を室外に排出する第１開口部と、前記フードの内部に設けられて室内側からの空気を前記第１開口部に案内する整流板と、前記フードの底面に形成された第２開口部と、この第２開口部に設けられ室内側から流れてきた空気を前記外壁と反対方向に導くガイド板を設けたガラリと、を有してなることを特徴としている。
【０００５】
【発明の実施の形態】
図１乃至図３には本発明に係る換気用屋外フード１０の一実施例が示されている。
図１に示すように、この換気用屋外フード１０はビルや家屋等の外壁１に外側から取り付けられるようになっている。前記換気用屋外フード１０にはパイプ形状の通気孔挿入胴体１２が形成され外壁１に穿設された通気パイプ２に挿入されている。この通気孔挿入胴体１２の室内側の一端部の外周には係止爪１４がビス１６を介して複数固定されている。また、前記通気孔挿入胴体１２の外周には防水パッキン１８が外嵌されている。
前記通気孔挿入胴体１２の反室内側の他端部には矩形状のフランジ部２０が一体形成されている。このフランジ部２０の上端部には取付片２２が突設され、下端部には傾斜片２４が形成されている。
また、図３に示すように前記フランジ部２０には箱状のフード２６が固着されている。このフード２６を構成する構成部材の一つであるフード本体２８は横断面略Ｕ字形状に一体形成されている。このフード本体２８の正面部２８Ａの上部には正面視Ｕ字形状の切欠部３０が形成されている。また、前記正面部２８Ａの両側に形成された側面部２８Ｂの端部には耳部２８Ｃが形成され、この耳部２８Ｃは前記フランジ部２０と密着当接している。
前記フード本体２８の上部には天板３２がフード本体２８の側面部２８Ｂ，２８Ｂに挟まれた状態で配設されると共に天板３２は前記フード本体２８に溶着されている。従って、前記切欠部３０と天板３２との間でしかもフード本体２８の正面部２８Ａよりも室内側（図１右側）に第１開口部３３が形成される。
前記天板３２の横方向両側部には前記フランジ部２０と平行の第１壁部３４が形成され、中央部には傾斜した第２壁部３６が第１壁部３４に連続して形成されている。従って、天板３２に落下した雨水Ｂは第１壁部３４及び第２壁部３６に案内されて天板３２の中央に集まった後に前記第１開口部３３からフード本体２８内に入って落下するようになっている。
図１に示すように、フード本体２８内で前記第１開口部３３より僅かに下方に整流板３８が配設され取付片３９が前記フード本体２８の側面部２８Ｂに溶着されることにより整流板３８は固着されている。この整流板３８は水平部３８Ａと傾斜部３８Ｂから形成されている。また、図２に示すように前記フード本体２８の側面部２８Ｂの内側には取付舌片４０が突設され、取付舌片４０には雌螺子孔４０Ａが形成されている。
図１に示すように、前記フード本体２８の下部は開放されて第２開口部４１が形成されている。この第２開口部４１には合成樹脂材で形成された排気手段としてのガラリ４２が挿入されて配設されている。このガラリ４２には室外側下方に向かって逆く字状に折り曲げて形成されたガイド板４４が複数設けられている。図２に示すように、前記ガラリ４２には取付舌片４６が突設されており、この取付舌片４６には孔４６Ａが形成されている。従って、前記ガラリ４２は取付舌片４０と取付舌片４６を重ねてビス４８で固定することによりフード本体２８に固着されている。
なお、前記フランジ部２０の取付片２２は図１に示すように前記天板３２の下に差し込まれて重なった状態でビス５０により固着されている。
【０００６】
次に、実施例の作用について説明する。
本発明に係る換気用屋外フード１０を通気パイプ２に取り付けると室内の空気Ａは通気パイプ２を介して通気孔挿入胴体１２に流れ込む。そして、換気孔挿入胴体１２を流れてきた空気Ａは整流板３８の傾斜部３８Ｂによって整流板３８の上に分流案内されて流れ、第１開口部３３から室外に排出される。しかも、この第１開口部３３はフード本体２８の正面板２８Ａに形成されているので、第１開口部３３から排出される空気Ａは外壁１から離間する方向に排出される。
また、前記換気孔挿入胴体１２を流れてきた空気Ａはフード本体２８の正面板２８Ａに当たったりした後に下方にも分流しガラリ４２に入り込む。すると、空気Ａはガラリ４２のガイド片４４に規制されて下方斜め前方に排出される。従って、ガラリ４２を介して排出される空気Ａも外壁１から離間する方向に排出される。
このため、室内側から流れてきた空気Ａが汚れていても外壁１の壁面に沿って流れないので外壁１や図示しない庇等が汚れることを防止することができる。
しかも、空気Ａが外壁１の壁面に沿って流れないので寒冷地において室内から湿った空気Ａが排出される場合も外気温の低下や低温外風の影響によって外壁１の外部凍害を防ぐことができる。
また、雨等が降って雨水Ｂが天板３２に落ちたり、外壁１を伝わって天板３２に流れてきたりしても天板３２上の雨水Ｂは第１壁部３４及び第２壁部３６に案内されて天板３２の中央に集まった後に前記第１開口部３３からフード本体２８内に入って落下する。従って、天板３２の雨水Ｂはフード本体２８の正面部２８Ａや側面部２８Ｂの外側面を伝わって下方に落下することはないので汚れた雨水Ｂによりフード本体２８の外側面が汚れるのを防止できると共に換気用屋外フード１０の外観品質の低下を防止することができる。
また、雨水Ｂが風の影響で第１開口部３３からフード２６内に入り込んだとしても整流板３８の傾斜部３８Ｂによりそれ以上の進入を阻止して通気孔挿入胴体１２から室内への流入を防ぐことができる。
さらに、前記第２開口部４１には逆く字状のガイド板４４が設けられたガラリ４２が配設されているので室内への雨水Ｂの進入を防ぐことができる。
【０００７】
【発明の効果】
以上説明したように本発明に係る換気用屋外フードは、室内から流れてくる空気を正面と下面から外壁と離間するように排出するので静圧損失値を低くして汚れた空気による外壁等の汚れを防止することができると共に寒冷地における冬季の外壁の凍害を防止することができるという優れた効果を有する。
また、換気用屋外フードは、天板に流れた雨水をフード内に入れて落下させるので汚れた雨水によるフードの外側面の汚れを防止することができると共に雨水の室内への進入を防ぐことができるという優れた効果を有する。
【図面の簡単な説明】
【図１】本発明に係る換気用屋外フードを取り付けた状態の断面図である。
【図２】本発明に係る換気用屋外フードを構成するフード本体とガラリの斜視図である。
【図３】本発明に係る換気用屋外フードの全体斜視図である。
【図４】従来の屋外フードの概略断面図である。
【図５】従来の屋外フードの概略断面図である。
【符号の説明】
１０・・・換気用屋外フード
１２・・・通気孔挿入胴体
２６・・・フード
２８・・・フード本体
３２・・・天坂
３３・・・第１開口部
３８・・・整流板
４１・・・第２開口部
４２・・・ガラリ
４４・・・ガイド板
【図１】
0003923610.tif 000002
【図２】
0003923610.tif 000003
【図３】
0003923610.tif 000004
【図４】
0003923610.tif 000005
【図５】
0003923610.tif 000006